(57)【要約】      （修正有）【課題】簡単な構造で組立の容易性を確保しつつ、サイズが小さく信頼性が高いクレビス継手を提供する。【解決手段】内部にリンク０を配置可能な空間１ｓを挟んで対向する１対の側部１ａ及びこの側部１ａの基端部同士を接続する中間部１ｂを有するクレビス１と、前記クレビス１の側部１ａに設けた軸挿通孔１ａ１に両端部をそれぞれ支持させてなるとともに長手方向中央部に溝２ａを有しリンク０を揺動可能に支持する軸部材２と、この軸部材２の溝２ａに係合して軸部材２の軸方向への移動を規制する位置決めピン３とを具備する。【選択図】図１
0003161143.tif 000002
【実用新案登録請求の範囲】
【請求項１】
内部にリンクを配置可能な空間を挟んで対向する１対の側部及びこの側部の基端部同士を接続する中間部を有するクレビスと、前記クレビスの側部に設けた軸挿通孔に両端部をそれぞれ支持させてなるとともに長手方向中央部に溝を有しリンクを揺動可能に支持する軸部材と、この軸部材の溝に係合して軸部材の軸方向への移動を規制する位置決めピンとを具備するクレビス継手。
【請求項２】
前記位置決めピンが、リンクに圧入させてなるものである請求項１のクレビス継手。
【考案の詳細な説明】
【技術分野】
【０００１】
本考案は、リンクを軸回りに揺動可能に支持するクレビス継手に関する。
【背景技術】
【０００２】
従来、リンク機構を構成するリンクを揺動可能に支持する部材として、図３〜図６に示すように、内部にリンクｘを配置可能な空間ａ３を挟んで対向する１対の側部ａ１及びこの側部ａ１の基端部同士を接続する中間部ａ２を有するクレビスａと、前記クレビスａの側部ａ１に設けた軸挿通孔に挿通させてなる軸部材ｂとを具備するクレビス継手が広く用いられている（例えば、特許文献１を参照）。
【０００３】
従来のクレビス継手の具体的な構成の例としては、例えば、図３に示すように雄ネジ部材ｂ１ｂを介してクレビスａに軸部材ｂ１ａを軸方向からねじ止めするものや、図４に示すようにリベットｂ２ｂを介してクレビスａに軸部材ｂ２ａを固定するものや、図５に示すようにクレビスａに軸部材ｂ３を圧入するものや、図６に示すように雄ネジ部材ｂ４ｂを介してクレビスａに軸部材ｂ４ａを軸に直交する方向からねじ止めするもの等が採用されている。
【０００４】
ここで、クレビス継手は、ケーシングの中に収められることが多く、ケーシングの内寸は継手の大きさに可動範囲を掛け合わせたもので決まるため、クレビスは小型のものとすることが望ましい。また、クレビス継手は、製品の機能を満たすための運動や力を伝達するためのリンク機構を構成するリンクを支持するものであるので、機能上の信頼性が求められる。さらに、組み立て工数等を削減するために、クレビス継手には構造が単純であることや組立が容易であることも求められている。
【０００５】
しかし、上述したような従来の構成では、上述した要望のうち一部しか満たすことができないという問題が存在する。例えば、図３に示すような雄ネジ部材ｂ１ｂを介してクレビスａに軸部材ｂ１ａを軸方向からねじ止めする構成では、雄ネジ部材ｂ１ｂの頭部がクレビスの側部から突出するのでクレビスａの厚さ方向に設置スペースが必要となるとともに、ネジが緩むことによる信頼性の低下の懸念が存在する。図４に示すようなリベットｂ２ｂを介してクレビスａに軸部材ｂ２ａを固定する構成や、図５に示すようなクレビスａに軸部材ｂ３を圧入する構成では、リベットｂ２ｂをかしめる際や軸部材ｂ３を圧入する際の荷重によりクレビスａ又は軸部材ｂ２ａが変形することがあり、組立が容易であるといえないという問題がある。図６に示すような雄ネジ部材ｂ４ｂを介してクレビスａに軸部材ｂ４ａを軸に直交する方向からねじ止めする構成では、クレビスａの側部に雄ネジ部材ｂ４ｂを通過させるためのネジ挿通孔を設ける必要があるため、クレビスａの少なくとも一方の側部の厚さ寸法を大きくする必要があり、クレビスａの厚さ方向に設置スペースが必要となるという問題がある。
【先行技術文献】
【特許文献】
【０００６】
【特許文献１】特開２０１０−３８２６０号公報
【考案の概要】
【考案が解決しようとする課題】
【０００７】
本考案は、以上を踏まえ、小型かつ単純な構造を有し、取り付け工数を節約できる一方で、軸抜けしにくく信頼性が高いクレビス継手を実現することを所期の目的とする。
【課題を解決するための手段】
【０００８】
すなわち本考案に係るクレビス継手は、内部にリンクを配置可能な空間を挟んで対向する１対の側部及びこの側部の基端部同士を接続する中間部を有するクレビスと、前記クレビスの側部に設けた軸挿通孔に両端部をそれぞれ支持させてなるとともに長手方向中央部に溝を有しリンクを揺動可能に支持する軸部材と、この軸部材の溝に係合して軸部材の軸方向への移動を規制する位置決めピンとを具備することを特徴とする。
【０００９】
このような構成によれば、位置決めピンの両端部を外方に突出させる必要がなくなるので、小型化を図ることができ、また、軸部材に溝を設けること、リンクにピン穴を設けること、及び位置決めピンを取り付けることでこのようなクレビス継手を実現できるので、構造が簡単でしかも取り付けが容易である。そして、位置決めピンが軸部材の溝を通過することによりこれらが干渉して軸部材の軸方向への移動を規制するので、軸抜けしにくく高い信頼性を確保できる。
【００１０】
本考案において、「リンク」とは、クレビス継手の軸部材に揺動可能に支持されるもの全般を含む概念である。
【００１１】
このような位置決めピンの好適な構成として、前記位置決めピンが、リンクに圧入させてなるものが挙げられる。
【考案の効果】
【００１２】
本考案の構成によれば、小型かつ単純な構造を有し、取り付け工数を節約できる一方で、軸抜けしにくく信頼性が高いクレビス継手を実現できる。
【図面の簡単な説明】
【００１３】
【図１】本考案の一実施形態に係るクレビス継手を示す縦断面図。
【図２】同実施形態に係るクレビス継手を示す分解斜視図。
【図３】従来のクレビス継手を示す縦断面図。
【図４】従来のクレビス継手を示す縦断面図。
【図５】従来のクレビス継手を示す縦断面図。
【図６】従来のクレビス継手を示す縦断面図。
【考案を実施するための形態】
【００１４】
以下、本考案の一実施形態を、図１及び図２を参照して説明する。
【００１５】
本実施形態に係るクレビス継手は、例えば、空圧式バルブの図示しないピストン式アクチュエータと弁体との接続部位に使用される。さらに詳述すると、このクレビス継手は、ピストンの往復運動を弁体に接続される弁軸の回転運動に変換すべくこれらの間に設けられ，ピストンの運動を伝達し軸挿通孔０ａを有するリンク０と、弁軸Ｊとの間に設けられる。
【００１６】
このクレビス継手は、図１及び図２に示すように、内部にリンク０を配置可能な空間１ｓを挟んで対向する１対の側部１ａ及びこの側部１ａの基端部同士を接続する中間部１ｂを有するクレビス１と、クレビス１の側部１ａに設けた軸挿通孔１ａ１に両端部をそれぞれ支持させてなるとともに長手方向中央部に溝２ａを有しリンク０を揺動可能に支持する軸部材２と、リンク０に取り付けた状態で軸部材２の溝２ａに係合し軸部材２の軸方向への移動を規制する位置決めピン３とを具備する。
【００１７】
クレビス１は、図１及び図２に示すように、側面視コの字状をなす金属製の部材で、上述したように、１対の側部１ａと、これら側部１ａの基端部同士を接続する中間部１ｂとを有する。側部１ａ間には、上述したように、その内部にリンク０を配置可能な空間１ｓが形成されている。中間部１ｂには、弁軸Ｊを挿通させるための取付孔１ｂ１を設けている。そして、両側部１ａの先端部には、軸部材２を挿通可能な軸挿通孔１ａ１を、平面視互いに重なり合う位置にそれぞれ設けている。ここで、前記図２において、クレビス１は一部を破断して示している。
【００１８】
軸部材２は、図１及び図２に示すように、クレビス１の軸挿通孔１ａ１に挿入させてなる円柱状の部材である。本実施形態では、この軸部材２の長手寸法ｄ１は、クレビス１の厚さ寸法ｄ２よりもわずかに大きい。すなわち、この軸部材２の長手方向両端部は、わずかにクレビス１の外部に突出している。この軸部材２の長手方向中央部すなわちクレビス１の側部１ａ間の空間１ｓ内に位置する部位には、上述したように溝２ａが形成されている。この溝２ａは、円筒面に沿って周方向に延びている。そして、この溝２ａに、位置決めピン３が係り合うことが可能である。
【００１９】
位置決めピン３は、リンク０の面方向に沿って延伸するピン取付孔０ｂ内に圧入される。ピン取付孔０ｂは、リンク０の幅方向に延伸し、軸部材２を挿し通すための軸挿通孔０ａと直交する。この位置決めピン３がピン取付孔０ｂ内に圧入された状態で、軸部材２の溝２ａに係り合うことにより軸部材２の軸方向の位置決めが行われる。
【００２０】
このクレビス継手とリンク０との接続は、例えば、以下の手順で行われる。
【００２１】
まず、クレビス１の両側部１ａの軸挿通孔１ａ１とリンク０の軸挿通孔１ａ１とを平面視重なり合わせ、これら軸挿通孔１ａ１に軸部材２を挿入させる。それから、軸部材２の溝２ａの高さ位置とリンク０のピン取付孔０ｂの高さ位置とを一致させる。次いで、その状態でリンク０のピン取付孔０ｂ内に位置決めピン３を圧入させ、クレビス１とリンク０とを接続する。そして、クレビス１の中間部１ｂの取付孔１ｂ１に、弁軸Ｊを挿通させることによりこのクレビス１を所定の取り付け箇所に取り付ける。
【００２２】
このクレビス継手の軸部材２に軸方向への力が加わった場合、位置決めピン３がリンク０のピン取付孔０ｂ内に圧入されていて、この位置決めピン３は軸部材２の軸方向に移動不能であるとともにこの位置決めピン３が軸部材２の溝２ａに係り合っているので、位置決めピン３により軸部材２の軸方向への移動が規制される。
【００２３】
以上に述べたように、本実施形態クレビス継手の構成によれば、位置決めピン３の両端部を外方に大きく突出させる必要がなくなるので、小型化を図ることができ、また、軸部材２に溝２ａを設けること、リンク０にピン穴を設けること、及び位置決めピン３を取り付けることでこのようなクレビス継手を実現できるので、構造が簡単でしかも取り付けが容易である。そして、位置決めピン３が軸部材２の溝２ａを通過することによりこれらが干渉して軸部材２の軸方向への移動を規制するので、軸抜けしにくく高い信頼性を確保できる。
【００２４】
また、前記位置決めピン３が、リンク０に圧入させてなるものであるので、位置決めピン３をリンク０に係止するための特別な部品や構造を必要とせず、最小限の部品点数及び加工工数でこのようなクレビス継手を実現できる。
【００２５】
なお、本考案は以上に述べた実施形態に限られない。
【００２６】
例えば、上述した実施形態では、位置決めピンがリンクに圧入されるが、例えば、リンクに予め雌ネジ穴を設けておき、位置決めピンたる雄ネジ部材がリンクの雌ネジ穴に螺着されることにより、この雄ネジ部材が軸の溝を通過する状態でリンクに取り付けられるように構成してもよい。
【００２７】
その他、本考案の趣旨を損ねない範囲で種々に変更してよい。
【符号の説明】
【００２８】
１…クレビス
１ａ…側部
１ａ１…軸挿通孔
２…軸部材
２ａ…溝
３…位置決めピン
【図１】
0003161143.tif 000003
【図２】
0003161143.tif 000004
【図３】
0003161143.tif 000005
【図４】
0003161143.tif 000006
【図５】
0003161143.tif 000007
【図６】
0003161143.tif 000008